(57)【特許請求の範囲】
【請求項１】
端末装置が、移動通信システム及び多数のインターネットアクセスポイントを経てインターネットに対する接続を確立することと、
前記端末装置が、インターネットにアクセスするために最後に使用されたインターネットアクセスポイントの設定を該端末装置に記憶することと、
前記端末装置が、インターネットにアクセスするために最後に使用された移動通信ネットワーク又は移動通信ネットワークの一部分に関するシステム情報を該端末装置に記憶することと、
前記端末装置が、該端末装置の現在位置における移動通信ネットワーク又は移動通信ネットワークの一部分に関するブロードキャストシステム情報を受信することと、
前記端末装置が、前記受信されたシステム情報を前記記憶されたシステム情報と比較することと、
前記端末装置が、前記記憶されたシステム情報及び受信されたシステム情報に基づいて前記移動通信ネットワーク又は移動通信ネットワークの一部分が変化したことが分かった場合に、現在使用されている移動通信ネットワーク又は移動通信ネットワークの一部分に対して推奨されたインターネットアクセスポイント設定を用いて、前記端末装置の前記記憶されたインターネットアクセスポイント設定を更新するための手順を開始することと、
を含むことを特徴とする方法。
【請求項２】
新たなインターネットトランザクションが開始されたときにのみ、前記比較を実行することと、
前記記憶されたシステム情報及び受信されたシステム情報に基づいて前記移動通信ネットワーク又は移動通信ネットワークの一部分が変化したことが分かった場合に、移動通信システムを経てインターネットアクセスポイントに対する呼を設定する前に、前記更新するための手順を実行することと、
を含む、請求項１に記載の方法。
【請求項３】
前記更新するための手順が、
インターネットサービスプロバイダのサーバから移動通信システムを経てインターネットアクセスポイント設定を要求し、この要求は、前記端末装置の現在の移動通信システム又は移動通信システムの一部分を識別するシステム情報を含むことと、
前記要求を前記サーバにおいて受信することと、
前記サーバにおいて、前記要求に含まれたシステム情報に基づいて、前記端末装置の現在位置に適したインターネットアクセスポイント設定を選択することと、
その選択された設定を前記サーバから移動通信ネットワークを経て前記端末装置に送信することと、
その選択された設定を前記端末装置において受信することと、
その選択された設定を用いて前記端末装置のインターネットアクセスポイント設定を更新することと、
を含む、請求項１又は請求項２に記載の方法。
【請求項４】
前記更新するための手順が、
前記端末装置が、インターネットネットワークにアクセスできるメッセージサービスセンタにインターネットアクセスポイント設定を要求するメッセージを送信し、このメッセージは、前記端末装置の現在の移動通信ネットワーク又は移動通信ネットワークの一部分を識別するシステム情報を含むことと、
前記メッセージサービスセンタが前記メッセージを受信することと、
前記メッセージサービスセンタがインターネットネットワークのプロトコルを使用することによりインターネットサービスプロバイダのサーバにインターネットアクセスポイント設定に対する要求を送信し、この要求は、前記端末装置の現在の移動通信ネットワーク又は移動通信ネットワークの一部分を識別するシステム情報を含むことと、
前記サーバが前記要求を受信することと、
前記サーバが、前記要求に含まれたシステム情報に基づいて、前記端末装置の現在位置に適したインターネットアクセスポイント設定を選択することと、
前記サーバが、その選択された設定を含む応答を、前記インターネットネットワークのプロトコルを使用することにより、前記メッセージサービスセンタに送信することと、
前記メッセージサービスセンタが、前記選択された設定を含むメッセージを前記端末装置に送信することと、
前記端末装置が前記メッセージを受信することと、
前記端末装置が前記選択された設定を用いて前記端末装置のインターネットアクセスポイント設定を更新することと、
を含む、請求項１から請求項３のいずれかに記載の方法。
【請求項５】
前記更新するための手順が、
前記端末装置が、インターネットネットワークにアクセスできるメッセージサービスセンタに、インターネットアクセスポイント設定を要求するメッセージを送信し、このメッセージは、前記端末装置の現在の移動通信ネットワーク又は移動通信ネットワークの一部分を識別するシステム情報を含むことと、
前記メッセージサービスセンタが前記メッセージを受信することと、
前記メッセージサービスセンタが、前記端末装置によって送信された前記メッセージに対する応答として前記インターネットネットワークのプロトコルを使用することにより、前記インターネットネットワークからインターネットアクセスポイント設定を含むワールドワイドウェブページを検索することと、
前記メッセージサービスセンタが、前記システム情報に基づいて、前記受信されたワールドワイドウェブページから前記端末装置の位置に適したインターネットアクセスポイント設定を選択することと、
前記メッセージサービスセンタが、前記選択された設定を含むメッセージを前記メッセージサービスセンタから前記端末装置に送信することと、
前記端末装置が前記メッセージを受信することと、
前記端末装置が該端末装置のインターネットアクセスポイント設定を前記選択された設定を用いて更新することと、
を含む、請求項１から請求項３のいずれかに記載の方法。
【請求項６】
前記移動通信ネットワークが、推奨されるインターネットアクセスポイントの設定に関する情報を含むメッセージを、移動通信ネットワーク又はその一部分の全ての端末装置にブロードキャストすることと、
前記端末装置が、記憶された及び受信されたシステム情報に基づいて、移動通信ネットワーク又は移動通信ネットワークの一部分が変化したことに気付いた場合に、前記端末装置の記憶されたインターネットアクセスポイント設定を、前記ブロードキャストされたメッセージに含まれたインターネットアクセスポイント設定を用いて更新することと、
を含む、請求項１又は請求項２に記載の方法。
【請求項７】
前記システム情報が、国コード、オペレータ名、オペレータコード、ネットワーク名、ネットワークコード、位置エリア識別子のうちのいずれかである、請求項１から請求項６のいずれかに記載の方法。
【請求項８】
移動通信ネットワークに接続されたメッセージセンタからインターネットネットワークを介してインターネットアクセスポイント設定に対する要求を受信する手段を具備し、
前記要求が、前記設定を要求した移動局が位置する移動通信ネットワーク又は移動通信ネットワークの一部分を識別する情報を含み、
更に、
前記要求に含まれたシステム情報に基づいて前記移動局の位置に適したインターネットアクセスポイントの設定を選択する手段と、
選択された設定を、前記移動局に転送すべく、前記インターネットネットワークを経て前記メッセージセンタに送信する手段と、
を具備することを特徴とするサーバ。
【請求項９】
メッセージサービスセンタと移動局との間においてメッセージを伝送するためにディジタル移動通信ネットワークに接続する手段と、
データネットワークに接続する手段と、
前記移動局により送信されたメッセージに応答して前記データネットワークにおけるインターネットサービスプロバイダのサーバから前記移動局の現在位置に適したインターネットアクセスポイントの設定を検索する手段と、を具備し、
前記メッセージは、インターネットアクセスポイント設定を要求するものであり、
さらに、
メッセージにおいて前記サーバから受信したインターネットアクセスポイント設定を移動通信ネットワークを経て前記移動局に送信する手段と、
を具備することを特徴とするメッセージサービスセンタ。
【請求項１０】
前記移動局により送信される前記メッセージが、該移動局が現在位置する移動通信ネットワーク又は移動通信ネットワークの一部分を識別するシステム情報を含む、請求項９に記載のメッセージサービスセンタ。
【請求項１１】
前記データネットワークがインターネットネットワークであり、
前記接続する手段が、前記移動局により送信されたメッセージに応答してインターネットサーバから前記インターネットアクセスポイントを検索する手段を含む、請求項９又は請求項１０に記載のメッセージサービスセンタ。
【請求項１２】
前記接続する手段が、前記移動局により送信された前記メッセージに応答して前記インターネットネットワークのプロトコルを使用することにより該インターネットネットワークからインターネットアクセスポイント設定を含むワールドワイドウェブページを検索する手段を含み、
前記メッセージサービスセンタが、
前記移動局の位置に基づいて、前記受信したワールドワイドウェブページから該移動局の位置に適したインターネットアクセスポイントの設定を分離する手段と、
その分離された設定をメッセージにおいて前記移動局に送信する手段と、
を具備する、請求項１１に記載のメッセージサービスセンタ。
【請求項１３】
端末装置であって、
移動通信システム及び多数のインターネットアクセスポイントを経てインターネットネットワークに対する接続を確立する手段と、
インターネットにアクセスするために最後に使用されたインターネットアクセスポイント設定が記憶されるメモリと、
インターネットにアクセスするために最後に使用された移動通信ネットワーク又は移動通信ネットワークの一部分を識別するシステム情報が記憶されるメモリと、
当該端末装置の現在位置の移動通信ネットワーク又は移動通信ネットワークの一部分に関するブロードキャストシステム情報を受信する手段と、
前記受信されたシステム情報を前記記憶されたシステム情報と比較する手段と、
前記記憶されたシステム情報及び受信されたシステム情報に基づいて前記移動通信ネットワーク又は移動通信ネットワークの一部分が変化したことが分かった場合に、現在使用されている移動通信ネットワーク又は移動通信ネットワークの一部分に対して推奨されたインターネットアクセスポイントの設定を用いて当該端末装置の前記記憶されたインターネットアクセスポイント設定を更新するための手順を開始する更新手段と、
を具備することを特徴とする端末装置。
【請求項１４】
前記比較する手段が、新たなインターネットトランザクションの開始に応答してスタートし、
前記更新手段が、前記記憶されたシステム情報及び受信されたシステム情報に基づいて前記移動通信ネットワーク又は移動通信ネットワークの一部分が変化したことが分かった場合に、前記比較する手段に応答して、移動通信システムを経てインターネットアクセスポイントに対する呼を設定する前に、前記更新するための手順を実行する、請求項１３に記載の端末装置。
【請求項１５】
前記更新手段が、
インターネットサービスプロバイダのサーバからインターネットを経てインターネットアクセスポイント設定を要求する手段を含み、前記要求は、当該端末装置の現在の移動通信ネットワーク又は移動通信ネットワークの一部分を識別するシステム情報を含み、
更に、前記更新手段が、
前記サーバから移動通信システムを経て要求された設定を含む応答を受信し、その受信した設定を用いて当該端末装置のインターネットアクセスポイント設定を更新する手段を含む、請求項１３又は請求項１４に記載の端末装置。
【請求項１６】
前記更新手段が、
インターネットアクセスポイント設定を要求するショートメッセージを、インターネットネットワークにアクセスできるメッセージサービスセンタに送信する手段を具備し、前記メッセージが、当該端末装置の現在の移動通信ネットワーク又は移動通信ネットワークの一部分を識別するシステム情報を含み、
更に、前記更新手段が、
その要求された設定を含むメッセージを前記メッセージセンタから受信し、その受信した設定を用いて当該端末装置のインターネットアクセスポイント設定を更新する手段を具備する、請求項１３から請求項１５のいずれかに記載の端末装置。
【請求項１７】
前記端末装置は、
推奨されるインターネットアクセスポイントの設定に関する情報を含むブロードキャストメッセージを受信する手段を具備し、
前記更新手段が、前記記憶されたシステム情報及び受信されたシステム情報に基づいて前記移動通信ネットワーク又はその一部分が変化したことが分かった場合に、前記比較する手段に応答して、当該端末装置の記憶されたインターネットアクセスポイント設定を、前記ブロードキャストメッセージに含まれたインターネットアクセスポイント設定を用いて更新する、請求項１３又は請求項１４に記載の端末装置。
【請求項１８】
前記システム情報は、国コード、オペレータ名、オペレータコード、ネットワーク名、ネットワークコード、位置エリア識別子のうちのいずれかである、請求項１３から請求項１７のいずれかに記載の端末装置。
【請求項１９】
メッセージサービスセンタと、
移動通信システム及び多数のインターネットアクセスポイントを経てインターネットネットワークに対する接続を確立することができる端末装置と、
を具備するディジタル移動通信システムであって、
当該移動通信システムの部分で使用することが推奨される少なくとも１つのローカルインターネットアクセスポイントの設定を含むメッセージを端末装置にブロードキャストするよう構成された、ことを特徴とするディジタル移動通信システム。
【請求項２０】
サーバが、インターネットアクセスポイント設定に対する要求を、移動通信ネットワークに接続されたメッセージセンタから受信する段階であって、前記要求が、要求している移動局の位置に基づいてインターネットに対する接続を確立するのに適したインターネットアクセスポイント設定を識別する情報を含むものである、段階と、
前記サーバが、前記識別されたインターネットアクセスポイント設定を、インターネットアクセスポイントのエリアと好ましいインターネットアクセスポイント設定とをリンクさせたリストから選択する段階と、
前記サーバが、前記選択されたインターネットアクセスポイント設定を、前記メッセージセンタを介して前記要求している移動局に送信する段階と、
を含むことを特徴とする方法。
【請求項２１】
メッセージサービスセンタが、該メッセージサービスセンタと移動局との間においてメッセージを送信するために、移動通信ネットワークに接続する段階と、
前記メッセージサービスセンタがデータネットワークに接続する段階と、
前記メッセージサービスセンタが、インターネットアクセスポイント設定を要求している前記移動局により送信されたメッセージに応答して、インターネットサービスプロバイダのサーバから該移動局の現在位置に適したインターネットアクセスポイントの設定を検索する段階と、
前記メッセージサービスセンタが、前記検索されたインターネットアクセスポイント設定を前記移動通信ネットワークを介して前記移動局に送信する段階と、
を含むことを特徴とする方法。
【請求項２２】
前記メッセージサービスセンタが、前記移動局から受信した前記メッセージに応答して、インターネットネットワークのプロトコルを用いて該インターネットネットワークからインターネットアクセスポイント設定を含むワールドワイドウェブページを検索する段階と、
前記メッセージサービスセンタが、前記移動局の前記位置に基づいて、前記受信したワールドワイドウェブページから該移動局の該位置に適したインターネットアクセスポイントの設定を分離する段階と、
前記メッセージサービスセンタが、前記分離した設定をメッセージにおいて前記移動局に送信する段階と、
をさらに含む、請求項２１に記載の方法。
【発明の詳細な説明】
【０００１】
【技術分野】
本発明は、一般に、デジタル移動通信システムに係り、より詳細には、移動通信システムのインターネットサービスに関連してローミングをサポートすることに係る。
【０００２】
【背景技術】
移動通信システムとは、一般に、加入者がシステムエリアをローミングする間にパーソナルワイヤレスデータ送信を与える異なるテレコミュニケーションシステムを指す。典型的な移動通信システムは、公衆地上移動ネットワークＰＬＭＮである。
従来のスピーチ送信に加えて、デジタル移動通信システムは、複数のサービス、即ちショートメッセージ、ファクシミリ、データ送信等を提供する。これらの中で、特に、データ送信サービスは、固定ネットワークのほぼ全てのデータサービスにワイヤレスアクセスする機会を移動加入者に与える。
【０００３】
ＴＣＰ／ＩＰ（送信制御プロトコル／インターネットプロトコル）データネットワーク即ちインターネットネットワークを固定ネットワークに使用することが急速に増加している。良く知られたように、インターネットネットワークは、実際に、非常に多数の小さな相互接続されたＴＣＰ／ＩＰネットワークより成る。エンドユーザの観点から、最も重要なものは、次の通りである。
−  ＴＥＬＮＥＴ：このプロトコルは、あるコンピュータのユーザターミナル（又はユーザアプリケーションプログラム）が、インターネットネットワークを経て、別のコンピュータのアプリケーションプロセス、例えば、リモートコンピュータで実行されるワードプロセッシングプログラムと、あたかもユーザターミナルが他のコンピュータに直結されたかのように、通信することができるようにする。
−  ＦＴＰ（ファイル転送プロトコル）：このプロトコルは、ユーザターミナル（又はユーザアプリケーションプログラム）がリモートファイルシステムにアクセスしそしてそれと対話できるようにする。
【０００４】
−  ＳＭＴＰ：このプロトコルは、異なるコンピュータのＥメールシステム間にネットワーク規模のメール転送サービスを提供する。
−  ＷＷＷ（ワールドワイドウェブ）：このＷＷＷシステムは、インターネットネットワークのサーバと、これらサーバにより使用されるＷＷＷブラウザと称するカスタマープログラムとで構成される。ＷＷＷサーバの情報は、サーバとブラウザとの間に常に全ページが転送されるので、ＷＷＷ技術の基本的単位であるページに編成される。ページは、テキストに加えて、グラフィック及び種々の他のファイル形式、例えば、音声及び映像も含む。ＷＷＷ技術で使用されるページは、ＨＴＭＬ言語（ハイパーテキストメークアップランゲッジ）で記述される。テキストフォーマット、グラフィック等の情報は、実際のテキスト内容の間でＨＴＭＬタグによりコード化される。ブラウザプログラムは、これらのタグを用いてＷＷＷページに所望のフォーマットを与える。
【０００５】
インターネットアプリケーションは、インターネットネットワークのサービスに接続するために使用される。ユーザがインターネットに接続できるまでに、ユーザは、インターネットサービスプロバイダーＩＳＰに連絡しなければならず、プロバイダーは、１つ以上のインターネットアクセスポイントＩＡＰを経てインターネットにアクセスすることができる。ＩＳＰは、例えば、商業的なオペレータ（ヨーロッパのＥｕｎｅｔのような）、大学、又は専門の会社である。通常、ＩＡＰは、ユーザが、あるＩＡＰアクセス番号へモデムコール（又はデータコール）を行うことにより、固定ネットワークの電話から又は移動電話からアクセスできるサーバーである。
【０００６】
原理的には、移動通信システムのデータ送信サービスを介してインターネットネットワークの多数の情報ソースが移動加入者にも利用できる。しかしながら、データ送信サービスの利用は、通常、データ送信特性が与えられた移動ステーション、及びそれに接続されたコンピュータを必要とする。現在、一体化されたコンピュータを含む移動ステーション、例えば、ノキア・コミュニケータ９０００が入手できる。これも、インターネットネットワークに接続するための内蔵ファシリティを有する。
【０００７】
固定ネットワークの通常の加入者は、自分に最も近い１つのＩＡＰしか必要とせず、従って、通話料は最低である。しかしながら、移動加入者は、１つの国内及び異なる国々の間の広いエリア内をローミングすることができる。移動加入者が常に同じＩＡＰ（ホームＩＡＰ）を使用してインターネットに接続する場合には、通話料（データ送信コスト）が著しく高くなる。例えば、加入者がドイツ国内をローミングしそして自分のホームＩＡＰがフィンランドにある場合に、ホームＩＡＰを経てインターネットサービスを利用すると、ドイツとフィンランドとの間の国際通話を含むことになる。データ通信コストを最適化するために、移動加入者は、自分の位置に関わりなくローカルＩＡＰを利用することを望む。加入者のインターネットサービスプロバイダーＩＳＰ（Ｅｕｎｅｔのような）は、世界中のどこでも利用できる多数のＩＡＰを有する。移動加入者に関しては、考えられる最良のＩＡＰを容易にそしてもし可能であれば自動的に選択できることが重要である。
【０００８】
公知の１つの方法によれば、加入者は、新たなエリアに入ったときに、新たなＩＡＰを手動で再構成／変更／確立する。これを行うために、加入者は、加入者の位置に基づいて正しいＩＡＰをいかにセットするかを示す利用可能なＩＡＰのリストを必要とする。しかしながら、手動の再構成は、厄介な上に、エラーを生じ易い。更に、このリストは、長期間更新されない。例えば、ノキア・コミュニケータ９０００には、このようなＩＡＰリストをサポートするユーザインターフェイスが設けられている。このリストは、例えば、次の情報を含む。１）サービスプロバイダーの名称、２）ＩＡＰの電話番号、３）ユーザの名称（必要に応じてＰＰＰ認証に使用される）、４）パスワード（必要に応じてＰＰＰ認証に使用される）、５）加入者自身のＩＰアドレス、及び６）一次及び二次名称サーバーのＩＰアドレス。
【０００９】
ノキア・コミュニケータ９０００の場合、サービスプロバイダーＩＳＰは、ＳＩＡＰ  ＳＭＳ（セットインターネットアクセスポイントショートメッセージ）と称する特殊なショートメッセージでＩＡＰを構成することができる。この特殊なショートメッセージは、移動ステーションにおいて全ての必要なＩＡＰ設定を実行し、そして新たなＩＡＰをリストに追加する。しかしながら、移動ステーションは、何らかの動作が行なわれる前に変更を確認するようにユーザに求める。この半自動ショートメッセージ更新の効果は、ユーザが情報を手動で更新する必要がなく、従って、エラーを排除することである。この特徴を使用してローミングをサポートする場合に、ユーザは、サービスプロバイダーのカスタマーサービスを呼び出し、そして自分の位置に対する最良のＩＡＰに関する情報をＳＩＡＰショートメッセージにおいて要求することが必要となる。ユーザの観点から、これは厄介であり、特に加入者の数が多いときにはサービスプロバイダーに対して相当量の余計な作業を生じさせる。或いは又、ＩＳＰは、世界のある部分でＩＡＰ構成が変化したときに全ての加入者にＳＩＡＰショートメッセージを送信することができる。しかしながら、これは、ユーザ及びインターネットサービスプロバイダーの両方にとって不便で且つ経費のかかる解決策である。
【００１０】
【発明の開示】
本発明の目的は、移動加入者に対するローカルインターネットアクセスポイントをローミング中にできるだけ容易に自動的に選択することである。
これは、移動通信システム及びインターネットアクセスポイントのグループを経てインターネットへの接続を確立することのできるデジタル移動通信システムのターミナル装置においてインターネットアクセスポイントに関する情報を更新する方法により達成される。この方法は、インターネットにアクセスするために最後に使用されたインターネットアクセスポイントの設定をターミナル装置に記憶し、インターネットにアクセスするために最後に使用された移動通信ネットワーク又は移動通信ネットワークの一部分に関するシステム情報を記憶し、ターミナル装置の現在位置エリアの移動通信ネットワーク又は移動通信ネットワークの一部分に関する放送されたシステム情報を受信し、上記受信されたシステム情報を上記記憶されたシステム情報と比較し、そして上記記憶されたシステム情報及び受信されたシステム情報に基づいて上記移動通信ネットワーク又は移動通信ネットワークの一部分が変化したことが分かった場合に、現在使用されている移動通信ネットワーク又は移動通信ネットワークの一部分に対して推奨されたインターネットアクセスポイント設定でターミナル装置の上記記憶されたインターネットアクセスポイント設定を更新するための手順を開始するという段階を含むことを特徴とする。
【００１１】
又、本発明は、請求項８に記載のサーバー、請求項９に記載のショートメッセージサービスセンター、請求項１３に記載のターミナル装置、及び請求項１９に記載の移動通信システムにも係る。
本発明によれば、移動通信システムは、推奨される又は好ましいインターネットアクセスポイント（ＩＡＰ）が与えられるエリアに分割される。本明細書において、これらのエリアは、ＩＡＰエリアと称する。通常、推奨される又は好ましいＩＡＰは、移動ステーションからのデータ通話料金が最も安いインターネットサービスプロバイダー（ＩＳＰ）のローカルＩＡＰである。原理的に、ＩＡＰエリアの分割は、いかなる種類の分割でもよい。例えば、各国又は各移動電話オペレータのネットワークがそれ自身のＩＡＰエリアを形成してもよい。或いは又、各移動通信ネットワークは、例えば、ネットワークのローカルエリア構成に基づいて、小さなＩＡＰエリアに分割することもできる。ＩＡＰエリアの分割が合意されたときには、ＩＳＰは、各ＩＡＰエリアごとに好ましいＩＡＰに名前を付けるだけでよい。当然、異なるインターネットサービスプロバイダーＩＳＰは、同じＩＡＰエリアにおいて異なるＩＡＰを有する。本発明の基本的な考え方によれば、システム内をローミングする移動ステーションは、インターネットにアクセスするために各ＩＡＰエリアの好ましいＩＡＰを選択するよう試みる。これは、ＩＡＰローミングと称することができる。
【００１２】
ＩＡＰローミングの場合に、最後に使用又は更新されたＩＡＰの設定と、最後のインターネットトランザクション又はＩＡＰ更新中に移動ステーションが位置していたＩＡＰエリア（移動通信ネットワーク又は移動通信ネットワークの一部分）を識別するシステム情報とが、移動ステーションに記憶される。移動ステーションは、サービスセルにより放送されたシステム情報を上記の記憶されたシステム情報と比較する。この比較に基づき、ＩＡＰエリアが変化したと結論付けできる場合には、移動ステーションは、移動通信ネットワークから受信するか又はそれを経て検索した当該ＩＡＰエリアに適したＩＡＰ設定で上記記憶されたＩＡＰ設定を更新する。本発明の好ましい実施形態では、移動ステーションは、ＩＳＰにより維持されるサーバー、データベース等からその位置に適したＩＡＰ設定を検索する。ＩＡＰ要求において、移動ステーションは、あるシステム情報によりその位置（ＩＡＰエリア）を指示し、これに基づき、ＩＳＰサーバーは、その位置に適したＩＡＰ設定を選択し、これらの設定は、その応答において移動ステーションへ送信される。本発明の第２の実施形態では、好ましいＩＡＰ設定は、放送メッセージにおいてＩＡＰエリア内の移動ステーションへ放送され、これにより、移動ステーションは、必要に応じてＩＡＰ設定を更新することができる。これは、個別の検索手順を回避できる一方、メッセージがネットワーク及び移動ステーションの両方に追加の負荷を及ぼす。更に、メッセージ放送サービスはどこでも利用できるのではなく、これは、本発明のＩＡＰローミングの範囲を限定する。
【００１３】
本発明の好ましい実施形態によれば、移動ステーションは、新たなインターネットトランザクションが開始され、即ちＩＡＰが必要とされるときだけ、ＩＡＰ設定の更新が必要であるかどうかをチェックする。これは、移動ステーションがネットワークをローミングするときに不必要な更新を回避できるようにする。これは、ＩＡＰ設定がＩＳＰサーバから検索される本発明の好ましい実施形態において特に効果的である。他方、これは、第１のインターネットデータコールが新たなエリアにおいて設定されるときに遅延を生じさせることがある（１０−１５ｓ程度の）。新たなＩＡＰ設定が放送メッセージにおいて受信される実施形態では、遅延が更に短い。本発明の１つの実施形態では、移動ステーションは、ＩＡＰエリアが変化したことが分かるたびに、ＩＡＰ設定を更新する。従って、ＩＡＰ設定は、常に最新であり、第１のインターネットコールが設定されるときには遅延がない。
【００１４】
本発明の好ましい実施形態は、特殊なメッセージサービスセンターを備え、これは、ＩＡＰエリアのＩＡＰ設定を維持する装置又は本明細書でＩＳＰサーバーと称するアプリケーションに直結されるか又はデータネットワークを経て接続される。移動ステーションは、特殊な「要求インターネットアクセスポイント」メッセージ即ちＲＩＡＰメッセージを送信することによりＩＡＰ設定を要求する。本発明の好ましい実施形態では、このＲＩＡＰメッセージは、移動ステーションの現在ＩＡＰエリアを識別するシステム情報も含む。又、サービスセンターは、ＩＡＰエリアの情報を有するか又は情報自体を推定することも考えられる。従って、サービスセンターは、ＩＳＰサーバーからのＩＡＰ設定を、それらの間のインターフェイス又はデータネットワークにより必要とされるプロトコルに基づいて要求する。この要求は、ＩＡＰエリアを識別するシステム情報を含み、これにより、ＩＳＰサーバーは、移動ステーションの位置に適したＩＡＰ設定を選択する。これらのＩＡＰ設定はサービスセンターへ送信され、サービスセンターは、それらを特殊な「設定インターネットアクセスポイント」メッセージ即ちＳＩＡＰメッセージにおいて移動ステーションへ転送する。移動ステーションは、ＳＩＡＰメッセージにおいてそれが受信したＩＡＰ設定で、記憶されたＩＡＰ設定を更新する。
【００１５】
本発明の１つの実施形態では、メッセージサービスセンターは、ＩＡＰエリアの未分類のＩＡＰ設定をＩＳＰサーバーから検索し、そして移動ステーションの位置に適した設定を選択する。例えば、ＩＳＰサーバーがインターネットネットワークにあるときには、サービスセンターは、ＩＡＰエリア及びそれらの好ましいＩＡＰ設定を含む全ＷＷＷページを検索する。これらから、サービスセンターは、移動ステーションに適したＩＡＰ設定を選択し、そしてそれらをＳＩＡＰメッセージにおいて移動ステーションへ送信する。この実施形態では、インターネットサービスプロバイダーは、ＷＷＷページを維持するだけでよい。
【００１６】
公知技術に比して、本発明は、多数の効果を発揮する。ユーザについては、本発明のＩＡＰローミングは、簡単な自動手順であり、最新のＩＡＰ設定及び低い通話料金を保証する。インターネットサービスプロバイダーＩＳＰについては、サーバーにおける必要なサービスの維持が、最小量の作業及び最小のコストしか必要としない。
【００１７】
【発明を実施するための最良の形態】
以下、添付図面を参照し、本発明の好ましい実施形態を詳細に説明する。
本発明は、回路交換スピーチ及びデータサービスをサポートする移動通信システムであって、ターミナル装置が特殊なインターネットアクセスポイントを経てインターネットネットワークへのデータ接続を確立できるような全ての移動通信システムに適用することができる。本発明は、ショートメッセージサービスを有する移動通信システムに特に適している。本明細書において、ショートメッセージサービスとは、一般に、ポイント／ポイント接続を設定する必要なく、移動ステーションと特殊なショートメッセージサービスユニットとの間に任意の種類の短いテキストメッセージを転送することを指す。このため、移動ステーションにおいて回路交換ポイント／ポイント接続に進行中のスピーチ又はデータコールがあるときでも、ショートメッセージの転送を行うことができる。ショートメッセージの転送は、１つのメッセージに限定され、即ち１つのメッセージの転送が全トランザクションを構成する。従って、ショートメッセージサービスは、パケット交換データ送信とは全く異なる。ショートメッセージサービスの一例は、推奨勧告ＥＴＳＩ  ＧＳＭ０３．４０に規定されたＧＳＭシステムのショートメッセージサービスである。本発明に適したメッセージ放送の別の例は、推奨勧告ＥＴＳＩ  ＧＳＭ０２．９０、０３．９０及び０４．９０に規定されたＵＳＳＤ（未構成補足サービスデータ）である。
【００１８】
以下、デジタルＧＳＭ（移動通信用のグローバルシステム）に関連して本発明を説明する。本発明については、移動通信システムのオペレーション及び構造に関連したものではなく、それらは、ショートメッセージサービスを理解する助けとなる程度に説明する。ＧＳＭシステムの詳細な説明については、ＧＳＭ推奨勧告及び出版物「移動通信用のＧＳＭシステム(The GSM System for Mobile Communications)」、Ｍ．モーリ及びＭ．ポーテット、パライゼウ、フランス、１９９２年、ＩＳＢＮ：２−９５０７１９０−０−７を参照されたい。
【００１９】
図１は、２つのＧＳＭ移動通信ネットワーク１１及び１７を示す。ＧＳＭネットワーク１７はフィンランドに配置され、そしてＧＳＭネットワーク１１はスエーデンに配置される。ＧＳＭネットワークにおいて、移動交換センターＭＳＣは入呼び及び出呼びを交換する。又、これは、ネットワークの加入者レジスタＶＬＲ及びＨＬＲと協働して加入者位置管理のような移動電話トラフィックの典型であるタスクも実行する。ＨＬＲは、加入者データを永久的に記憶するための加入者のホーム位置レジスタである。ビジター位置レジスタＶＬＲは、移動加入者がＶＬＲのエリアに訪問するときに加入者データがＨＬＲからコピーされるところのローカルレジスタである。移動ステーションＭＳは、ベースステーションシステムＢＳＳを経てセンターＭＳＣと通信する。ＢＳＳは、ベースステーションコントローラＢＳＣと、ベースステーションＢＴＳ、即ち固定の無線トランシーバとで構成され、このトランシーバにより、移動ステーションＭＳは、無線経路を経て移動通信ネットワークと通信する。
【００２０】
別のネットワーク（例えば、ＰＳＴＮ、ＩＳＤＮ、公衆データネットワークＰＳＤＮ）へのゲートウェイとして機能するＭＳＣは、ゲートウェイＭＳＣ、即ちＧＭＳＣと称する。図１において、ＧＳＭネットワーク１１及び１７は、ローカルＰＳＴＮ／ＩＳＤＮネットワーク１６及び１８へ各々接続されるものとして示されている。ＰＳＴＮ／ＩＳＤＮネットワーク１６及び１８は、互いに接続されると共に、国際送信ネットワーク２０により他の国のＰＳＴＮ／ＩＳＤＮネットワークに接続される。
【００２１】
インターネットネットワーク１２は、ＴＣＰ／ＩＰプロトコルに基づくネットワークのワールドワイドグループである。インターネットネットワークは、他のテレコミュニケーションネットワーク、例えばＰＳＴＮ／ＩＳＤＮからインターネットアクセスポイントを経てアクセスされる。インターネットアクセスサービスプロバイダーＩＳＰは、例えば、Ｅｕｎｅｔ、大学又は専門会社のような商業的オペレータである。ＩＳＰは、各国ごとに個別のＩＡＰ、例えば、図１においてＩＡＰ１４（Ｅｕｎｅｔフィンランド）及びＩＡＰ１６（Ｅｕｎｅｔスエーデン）を有する。通常、ＩＡＰは、ユーザが、ＩＡＰアクセス番号と称するある番号へＩＳＤＮ／ＰＳＴＮモデムコール（又は移動通信ネットワークではデータコール）を行うことにより、固定ネットワークの通常の契約又は移動ステーションからアクセスすることのできるサーバーである。
【００２２】
移動通信システムのデータ送信サービスにより、原理的には、インターネットネットワークの多数の情報ソースが移動加入者にも利用できる。しかしながら、データ送信サービスを利用するには、通常、データ送信特性が与えられた移動ステーション、及びそれに接続されたコンピュータが必要とされる。現在、一体化されたコンピュータを含む移動ステーション、例えば、ノキア・コミュニケータ９０００が入手できる。これは、インターネットネットワークへ接続するための内蔵ファシリティも有する。以下の説明において、移動ステーションＭＳは、例えば、ノキア・コミュニケータと同様の一体化されたターミナル装置であると仮定する。
【００２３】
上述したように、少なくとも１つのＩＡＰの設定がＭＳに記憶され、ＭＳは、これらの設定に基づいてインターネットトランザクションを行うためにＩＡＰへデータコールを発する。ＩＡＰ設定は、異なるアプリケーションにおいて変化し得るが、通常、少なくともＩＡＰアクセス番号及びサービスプロバイダー（ＩＳＰ）名を含む。ＭＳのホームネットワークは、ＧＳＭ１７（フィンランド）であり、そしてそのホームＩＡＰは、フィンランドのＩＡＰ１４であると仮定する。例えば、ＭＳがスエーデンのＧＳＭネットワーク１１をローミングするときは、国際通話料金を回避するために、加入者はホームＩＡＰではなくローカルＩＡＰ１５を使用するのが最も効果的である。本明細書の冒頭部分で詳細に述べたように、この場合の問題は、ＭＳ即ち加入者が各位置ごとに最も適したＩＡＰをいかに知るかである。
【００２４】
本発明によれば、移動通信システムは、推奨される又は好ましいインターネットアクセスポイント（ＩＡＰ）が与えられたエリアに分割される。本明細書において、これらのエリアは、ＩＡＰエリアと称される。図１において、ＧＳＭネットワーク１７は１つのＩＡＰエリアを形成し、そしてＧＳＭネットワーク１１は別のＩＡＰエリアを形成する。ＩＡＰエリアの分割は、原理的に、いかなる種類の分割でもよい。各インターネットサービスプロバイダーＩＳＰは、ＩＡＰエリアに対して１つ以上の好ましいＩＡＰを命名することができる。図１の例では、１つのＩＳＰ（例えばＥｕｎｅｔ）が、ＧＳＭネットワーク１７の好ましいＩＡＰとしてＩＡＰ１４（Ｅｕｎｅｔフィンランド）を有し、そしてＧＳＭネットワーク１１の好ましいＩＡＰとしてＩＡＰ１５（Ｅｕｎｅｔスエーデン）を有すると仮定する。本発明の基本的な考え方によれば、システムをローミングする移動ステーションは、サービスベースステーションにより放送されたシステム情報に基づいてＩＡＰの変化を検出し、そして新たなＩＡＰエリアの好ましいＩＡＰを経てインターネットコールを確立できるようにＩＡＰ設定を更新する。この手順は、本発明によりＩＡＰをローミングするＭＳのオペレーションを示す図２及び３のフローチャートを参照して詳細に説明する。システム情報は、ネットワークにより送信されてネットワーク又はその一部分を識別するのに使用できるいかなる情報でもよく、例えば、国コード、オペレータ名、オペレータコード、ネットワーク名、ネットワードコード及び位置エリア識別子である。
【００２５】
図２の実施形態では、ＩＡＰエリアのチェック及びＩＡＰ設定の考えられる更新は、ユーザが、ターミナル装置ＭＳに対して定められたやり方で新たなインターネットコール（インターネットトランザクション）の設定を開始したときだけ実行される。従って、ＭＳがローミングするときに不必要な更新を回避することはできるが、インターネットサービスを利用することはできない。一方、第１のインターネットコールが新たなＩＡＰエリアにおいて設定されるときには、遅延が生じることがある。最初に、以前のインターネットコールで使用されたＩＡＰの設定と、その使用されたＩＡＰエリア（移動通信ネットワーク又は移動通信ネットワークの一部分）を識別するシステム情報とがＭＳのメモリに記憶される。ユーザが新たなインターネットトランザクションを開始するときには（ステップ２１）、ＭＳは、サービスベースステーションにより制御チャンネルに放送されたシステム情報を受信する（ステップ２２）。ＭＳは、その受信したシステム情報を、以前のコールで使用されたＩＡＰエリアの記憶されたシステム情報と比較し、ＩＡＰエリアが変化したかどうかチェックする（ステップ２３及び２４）。ＩＡＰエリアが変化していない場合には、ＭＳは、ＩＡＰ設定を変更する必要がなく、古いＩＡＰ設定に基づいて古いＩＡＰを経てインターネットコールを設定する（ステップ２５）。ＩＡＰエリアの変化がステップ２４で分かった場合は、ＭＳは、以下で詳細に述べるように、新たなＩＡＰエリアに基づきそのＩＡＰ設定を更新する（ステップ２６）。新たなＩＡＰ設定及び新たなＩＡＰエリアに関するシステム情報は、ＭＳに記憶される（ステップ２６）。その後、ＭＳは、新たなＩＡＰ設定に基づき、新たなＩＡＰを経てインターネットコールを設定する（ステップ２７）。
【００２６】
図３の実施形態では、ＭＳは、ＩＡＰエリアが変化したことが分かるたびに、ＩＡＰ設定を更新する。この実施形態は、最新のＩＡＰ設定及びインターネットコールの高速設定を保証する。一方、頻繁な更新がＭＳ及びネットワークの両方に負荷を与える。最初に、以前のインターネットコールで使用されるか又は最後に更新されたＩＡＰの設定と、その使用されたＩＡＰエリア（移動通信ネットワーク又はその一部分）を識別するシステム情報が、ＭＳのメモリに記憶される。ＭＳは、サービスベースステーションにより放送されたシステム情報を連続的に受信する（ステップ３１）。適当な時点で、例えば、セル、位置エリア又はネットワークを変更するときに、ＭＳは、受信したシステム情報を、記憶された情報と比較し、ＩＡＰエリアが変化したかどうかチェックする（ステップ３２及び３３）。ＩＡＰエリアが変化しない場合には、ＭＳは、ＩＡＰ設定を変更する必要がない。ステップ３３においてＩＡＰエリアの変化に気付いた場合には、以下で詳細に述べるように、ＭＳは、新たなＩＡＰエリアに基づいてＩＡＰ設定を更新する（ステップ３４）。新たなＩＡＰ設定及び新たなＩＡＰエリアに関するシステム情報は、ＭＳに記憶される（ステップ３４）。
【００２７】
ＩＡＰ設定の実際の更新段階（図２及び３の２６及び３４）は、多数の異なるやり方で実施することができる。図４ないし６を参照して以下に述べる本発明の好ましい実施形態では、ＭＳは、ネットワーク側の装置、アプリケーション、データベース、サーバー等（一般にサーバーと称する）から新たなＩＡＰ設定を検索する。サーバーは、ＩＳＰにより維持されそして移動通信ネットワークの外部に配置されるのが効果的である。原理的に、ＩＡＰ設定の検索は、サーバーへ直接的にデータコールを設定することによって実行することができる。しかしながら、本発明の好ましい実施形態では、ＧＳＭのＳＭＳ又はＵＳＳＤのようなショートメッセージサービスを使用することにより検索が実行される。
【００２８】
ヨーロピアン・テレコミュニケーションズ・スタンダーズ・インスティテュート（ＥＴＳＩ）規格ＧＳＭ０３．４０は、ＧＳＭシステムのポイント／ポイント（ＰＰ）ショートメッセージサービス（ＳＭＳ）を規定している。ＧＳＭネットワークのＳＭＳは、移動ステーションＭＳと、ＧＳＭネットワーク１１の外部のショートメッセージサービスセンターＳＣ１０との間に限定された長さ（１６０ＡＳＣＩＩキャラクター）のショートメッセージを転送する手段を与える。移動発信（ＭＯ）及び移動着信（ＭＴ）ショートメッセージ送信は、個別のサービスとして定義される。ＭＯショートメッセージは、ＭＳからサービスセンターＳＣへ転送される。これらのショートメッセージは、固定ネットワーク上の他の移動ステーションユーザ又は加入者を行先とする。ＭＴショートメッセージは、サービスセンターＳＣからＭＳへ転送される。これらのショートメッセージは、他の移動ステーションユーザ又は他のソースからサービスセンターＳＣに到着する。ＳＣとＭＳとの間に使用されるプロトコルは、ＳＭ−ＴＰ（ショートメッセージ搬送プロトコル）と称される。
【００２９】
サービスセンターＳＣは、ＭＴショートメッセージが含まれるときはＳＭＳ−ゲートウェイＭＳＣそしてＭＯショートメッセージが含まれるときにはＳＭＳ−インターワーキングＭＳＣと称するあるＭＳＣを経て、移動通信ネットワークに接続される。ここでは、共通の名称ＳＭＳゲートウェイ（ＳＭＳ−ＧＷ）を使用する。ＳＭＳ−ＧＷは、ＭＳとＳＣとの間にショートメッセージを中継し、そしてコールにおいてＭＴメッセージに必要とされるＨＬＲ（及びＶＬＲ）問合わせを実行する。サービスセンターＳＣには、ＧＳＭネットワークの番号スペースに専用のＩＳＤＮ番号が与えられ、そしてＭＳは、ＩＳＤＮ番号を使用して、ショートメッセージをＳＣへアドレスする。
【００３０】
本発明に関しては、ショートメッセージサービスのサポートが移動通信システムにおいていかに実施されるかは重要でないことに注意されたい。例えば、ＧＳＭシステムでは、本発明は、ショートメッセージサービスをサポートする既存のネットワークに適用することができる。このようなネットワークの一例は、フィンランドのＲａｄｉｏｌｉｎｊａ  ＯｙのＧＳＭネットワークである。又、移動ステーションは、ショートメッセージサービスをサポートするいかなる種類の移動ステーションでもよい。例えば、Ｎｏｋｉａ２１１０  ＧＳＭ及びＣｏｍｍｕｎｉｃａｔｏｒ９０００がある。
【００３１】
本発明に関しては、ＳＣが、インターネットネットワーク又は別のデータネットワークを経て或いは直接的リンクによりＩＳＰサーバにいかに接続されるかは重要でない。全ての場合に、この手順は、例えば、図４に示されたもので行うことができる。
ＵＳＳＤサービスを使用するときには、サービスセンター１０を実質的に同様に実施することができる。しかしながら、ＵＳＳＤの場合には、ＳＣは、図１に破線で示したように、通常、ＨＬＲを経てＧＳＭネットワークに接続される。更に、ＨＳとＳＣとの間のメッセージ交換は、当然、ＵＳＳＤに対して定義されたやり方で実行される。
【００３２】
図４を参照すれば、ＭＳは、特殊な「要求インターネットアクセスポイント」メッセージＲＩＡＰ  ＳＭＳ（又はＲＩＡＰ  ＵＳＳＤ）をショートメッセージセンターＳＣへ送信することによってＩＡＰ設定を要求する。本発明の好ましい実施形態では、ＲＩＡＰは、ＭＳの現在ＩＡＰエリアを識別するシステム情報も含む。又、ＳＣがＩＡＰエリアに関する情報を有するか又は情報自体を推定することも考えられる。従って、ＳＣは、ＩＳＰサーバからのＩＡＰ設定を、それらの間のインターフェイス又はデータネットワークにより必要とされるプロトコルに基づいて要求する（ＩＡＰ要求）。この要求は、ＩＡＰエリアを識別するシステム情報を含み、これにより、ＩＳＰサーバーは、移動ステーションの位置に適したＩＡＰ設定を選択する。これらのＩＡＰ設定は、ＩＡＰ応答においてＳＣへ送信される。ＳＣは、それらを特殊な「設定インターネットアクセスポイント」メッセージＳＩＡＰ  ＳＭＳ（又はＳＩＡＰ  ＵＳＳＤ）において移動ステーションＭＳへ送信する。ＭＳは、記憶されたＩＡＰ設定を、ＳＩＡＰ  ＳＭＳにおいて受信したＩＡＰ設定で更新する。ＳＩＡＰ  ＳＭＳのフォーマットは、ノキア・コミュニケータ９０００でサポートされるものと同様である。
【００３３】
図１を参照すれば、本発明の好ましい実施形態において、サービスセンターＳＣは、ＧＳＭネットワークとインターネットネットワークとの間のゲートウェイとして使用できるようにインターネットネットワーク１２に接続される。ショートメッセージサービスセンターＳＣとインターネットネットワークとの間のインターフェイスは、直接的なインターフェイスでもよいし、或いはＳＣは、インターネットネットワーク１２へアクセスできる個別のコンピュータ装置に関連したものでもよい。このような個別の装置が図１にＣＰＵ１９で示されている。
【００３４】
このように、ＳＣは、インターネットネットワーク１２の情報ソースを、ショートメッセージサービスを経て移動加入者が使用できるようにする。ＳＣの実施及びショートメッセージによる情報検索は、参考としてここに取り上げる本出願人の特許出願ＦＩ９６３６５９号に詳細に説明されている。一般的に、ＳＣは、インターネットネットワーク１２に向かってＨＴＴＰ及びＨＴＭＬプロトコルを使用する。この場合も、ＨＴＴＰプロトコルは、ＴＣＰ／ＩＰインターフェイスを使用する。ＨＴＰ及びＨＴＭＬプロトコルに基づきインターネットネットワークからＷＷＷページを検索する際にサービスセンターコンピュータ（１つ又は複数）ＳＣに使用できるＷＷＷサーバ及びカスタマープログラムは、異なるオぺレーティングシステム（Ｕｎｉｘのような）に対して商業的に入手できる。ＧＳＭネットワークとサービスセンターＳＣとの間のインターフェイス４１は、現在のショートメッセージサービスセンターの場合と同様でよい。
【００３５】
本発明の好ましい実施形態では、このようなインターネットＳＣは、インターネットネットワークにおけるインターネットサービスプロバイダー（ＩＳＰ）のサーバー、例えば図１のＩＳＰサーバー１３からＩＡＰ設定を検索するのに使用される。
インターネットＷＷＷページからＩＡＰ設定を要求するときには、ＭＳは、ホームネットワーク１７のサービスセンターＳＣにアドレス（ＩＳＤＮ番号）されたＲＩＡＰショートメッセージを送信し（図７のステップ７１）、このメッセージは、上記ＷＷＷページを直接的又は間接的に指示するための識別子を含む。直接的な指示は、例えば、ＷＷＷページアドレスＵＲＬを含む。ＵＲＬアドレスの例は、ｈｔｔｐ：／／ｗｗｗ．ｎｏｋｉａ．ｃｏｍ及びｈｔｔｐ：／／ｗｗｗ．ｕｓｐｔ．ｇｏｖ／である。本発明の１つの実施形態では、ＵＲＬアドレスではなく、ショートメッセージのショートキーワードにおけるユーザキーが所望のＷＷＷページを間接的に指示する。これは、例えば、ＥｕｎｅｔフィンランドのようなＩＳＰの名前である。サービスセンターＳＣのデータベースは、キーワード及びＷＷＷページアドレスをリンクするためのテーブルを備えている。又、ＲＩＡＰ  ＳＭＳは、ＭＳの現在ＩＡＰエリアを識別するシステム識別子を含む。
【００３６】
ＲＩＡＰショートメッセージは、通常のＭＯショートメッセージとしてサービスセンターＳＣへ転送され、ＭＳが別のＧＳＭネットワーク、例えばスエーデンのネットワーク１１をローミングするときには、ＲＩＡＰ  ＳＭＳがホームネットワーク１７に転送され、そしてＳＭＳ−ＧＷを経てサービスセンターＳＣに転送される。ショートメッセージを受信すると、ＳＣは、キーワードに基づいて、テーブルからＵＲＬアドレスを検索する。次いで、ＳＣは、ＵＲＬアドレスに対応するＩＡＰ要求をＩＳＰサーバへ送信し、この要求は、ＭＳの現在ＩＡＰエリアを識別するシステム識別子を含んでいる。ＩＳＰサーバー１３は、ＩＡＰエリアを好ましいＩＡＰ設定とリンクするリストを含む。ＩＳＰサーバー１３は、ＩＡＰ要求を受け取ると（図５のステップ５１）、受信したシステム情報に基づいてＭＳの位置（ＩＡＰエリア）に最良に対応するＩＡＰ設定をサーチする（ステップ５２）。次いで、ＩＳＰサーバー１３は、選択されたＩＡＰ設定をＩＡＰ応答においてＳＣへ送信する（ステップ５３）。ＳＣは、そのＩＡＰ設定をＳＩＡＰショートメッセージにおいてＭＳに転送する。ＭＳは、ＳＩＡＰショートメッセージを受信し（図７のステップ７２）、そしておそらく、新たなＩＡＰ設定をユーザに示して、確認を得及び／又は考えられるユーザ特有の追加又は変更を実行する（ステップ７３）。次いで、ＭＳは、ＩＡＰ設定を更新する（ステップ７４）。
【００３７】
上記実施形態では、ＩＡＰ設定がＩＳＰサーバーにより選択された。上記リスト及び選択を実施する１つの方法は、質問スクリプト、即ちコマンド言語により形成される質問表示を有するＷＷＷページを使用することである。換言すれば、ＷＷＷページを予め維持するＷＷＷサーバーは、ＷＷＷページのリストから受け取ったシステム情報（ＩＡＰエリア）に基づいて当該ＩＡＰ設定をフィルタし、そしてそれらをＷＷＷページとしてサービスセンターＳＣへ送信する。サービスセンターは、各ＷＷＷページ（サービス）の質問フォーマットを知らねばならない。
【００３８】
本発明の第２の実施形態では、ＩＡＰリストは、ＩＳＰサーバーのＷＷＷページとして実施されるが、ＩＡＰ設定はＳＣにより選択される。ショートメッセージを受け取ると、ＳＣは、キーワードに基づいてテーブルからＵＲＬアドレスを検索する（図６のステップ６１−６２）。次いで、ＳＣは、上記ＷＷＷページが既に検索されてＳＣのデータベースに記憶されたかどうかチェックする（ステップ６３）のが好ましい。データベースがページを含まない場合に、ＳＣは、インターネットネットワークからＵＲＬアドレスに対応するＷＷＷページを検索し、そしてそれを記憶する（ステップ６４）。ＳＣは、ＭＳの現在ＩＡＰエリアに対する当該ＩＡＰ設定のみをＷＷＷページから分離即ち「フィルタ」し（ステップ６５）、そしてそれをＳＩＡＰショートメッセージにおいてＭＳに送信する（ステップ６６）。
【００３９】
特許出願ＦＩ９６３６５９号に開示された原理は、上述した両方の実施形態に直接適用することができる。
ＧＳＭシステムの１つの任意の特徴は、ショートメッセージサービスセル放送ＳＭＳ−ＣＢである。これは、ある地域において繰り返しＭＳに向かってデジタル情報メッセージ（ショートメッセージ）を放送することを含む。現在のＧＳＭ推奨勧告によれば、ショートメッセージサービスセル放送は、暗号化されないか又はアドレスが与えられず、従って、このサービスに対して構成されたＭＳは、それらを受け取ってデコードすることができる。しかし、この推奨勧告は、誰がこれらメッセージをネットワークに対して形成するか及びそれらをいかに形成するかについて規定していない。セル放送の古典的な使用例は、道路交通情報である。
【００４０】
本発明の第２の実施形態では、好ましいセル放送は、ステップ２６及び３４（図２、３）においてＩＡＰ設定を更新するのに使用される。ショートメッセージサービスセンター又は別のアプリケーションがこの目的で指定され、例えば、図１では、サービスセンターＳＣが、あるＩＡＰエリアの好ましいＩＡＰ設定を含むセル放送メッセージを与える。ショートメッセージ内容のフォーマットは、上記のＳＩＡＰメッセージと同様である。ショートメッセージは、上記ＩＡＰエリア内で各セルにおいて放送される。他のＩＡＰエリアでは、異なるＩＡＰ設定が放送される。ＩＡＰエリア内に位置してＳＭＳ−ＣＢをサポートする全ての移動ステーションは、ショートメッセージを受信し（図８のステップ８１）、そして必要に応じてＩＡＰ設定を更新する（ステップ８３）。又、ＭＳは、新たなＩＡＰ設定をユーザに示しそして確認を求める（ステップ８２）。本発明の好ましい実施形態では、ＭＳは、ＩＡＰエリアが変化したときだけＩＡＰ設定を更新することができる。移動ステーションは、ショートメッセージサービスセル放送を受け取るたびにＩＡＰ設定を更新できるが、これは、非常に実際的なやり方ではない。ＳＭＳ−ＣＢに基づいて更新するときには、ＩＡＰ設定の個別の検索手順が回避される。一方、送信されるメッセージの数が顕著になり、ネットワーク及び移動ステーションの両方に負荷をかける。しかし、全てのネットワーク及び移動ステーションは、おそらく、ＳＭＳ−ＣＢをサポートせず、これは、本発明によるＩＡＰローミングの範囲を限定する。
【００４１】
本発明の１つの実施形態では、加入者は、サーバー１３に定義された加入者特有の付加的な設定をもつことができる。この場合に、加入者のＭＳＩＳＤＮ（これに基づいてＩＳＰサーバーが加入者に対して調整されたＩＡＰ設定を返送できる）も、ＲＩＡＰ要求においてサーバーへ転送することができる。
以上、本発明の好ましい実施形態を詳細に説明した。しかしながら、本発明は上記解決策に限定されるものではなく、請求の範囲に規定した本発明の精神及び範囲内で種々の変更がなされ得ることが明らかである。
【図面の簡単な説明】
【図１】  ２つの移動通信ネットワーク、ローカル及び国際公衆交換電話ネットワーク、インターネットネットワーク、インターネットアクセスポイント、ＩＳＰサーバー、及びインターネットショートメッセージサービスセンターを示すシステム図である。
【図２】  移動ステーションにより実行されるＩＡＰローミング及びＩＡＰ設定の更新を示すフローチャートである。
【図３】  移動ステーションにより実行されるＩＡＰローミング及びＩＡＰ設定の更新を示すフローチャートである。
【図４】  ＩＳＰサーバーからのＩＡＰ設定の検索を示す信号チャートである。
【図５】  ＩＳＰサーバーの動作を示すフローチャートである。
【図６】  サービスセンターＳＣの動作を示すフローチャートである。
【図７】  ネットワークからＩＡＰ設定が検索されたときのＭＳの動作を示すフローチャートである。
【図８】  放送されたショートメッセージにおいてＩＡＰ設定が受信されたときのＭＳの動作を示すフローチャートである。
【図１】
0004298913.tif 000002
【図２】
0004298913.tif 000003
【図３】
0004298913.tif 000004
【図４】
0004298913.tif 000005
【図５】
0004298913.tif 000006
【図６】
0004298913.tif 000007
【図７】
0004298913.tif 000008
【図８】
0004298913.tif 000009